(57)【要約】【課題】本発明は、原稿台上の原稿束を一度に読み取った複数のデータ情報から搬送中の原稿に対応するデータ情報を取り出して、当該データ情報に基づいて搬送中の原稿の搬送制御又は画像読取制御を適正に行うことができる画像読取装置を提供する。【解決手段】原稿トレイ２０に原稿束Ｓが載置された状態で、ＲＦＩＤリーダ３０，３１が原稿束Ｓの各原稿のＲＦＩＤタグ９０，９１から一度に読み取ったデータ情報をＲＡＭ８０２の記憶領域Ｍａに保持する。原稿の搬送開始後に、ＲＦＩＤリーダ３０，３１が一度に読み取ったデータ情報をＲＡＭ８０２の記憶領域Ｍｂに保持する。記憶領域Ｍａに保持されたデータ情報と記憶領域Ｍｂに保持されたデータ情報とを比較し、搬送が開始された原稿のデータ情報を特定する。特定されたデータ情報に基づいて、搬送が開始された原稿の搬送制御及び／又は画像読取制御を行う。【選択図】図１
2008060894.tif 000002
【特許請求の範囲】
【請求項１】
原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段とを備える自動原稿給送装置において、
前記原稿台に原稿が載置された状態で、前記データ情報読取手段が一度に読み取ったデータ情報を前記記憶手段の第１の記憶領域に保持する第１のデータ情報保持手段と、
前記原稿搬送手段による原稿の搬送開始後に、前記データ情報読取手段が一度に読み取ったデータ情報を前記記憶手段の第２の記憶領域に保持する第２のデータ情報保持手段と、
前記第１の記憶領域に保持されたデータ情報と前記第２の記憶領域に保持されたデータ情報とを比較するデータ情報比較手段と、
前記データ情報比較手段による比較結果から、搬送が開始された原稿のデータ情報を特定するデータ情報特定手段と、
前記特定されたデータ情報に基づいて、搬送が開始された原稿の搬送制御を行う制御手段とを備えることを特徴とする自動原稿給送装置。
【請求項２】
前記データ情報特定手段は、前記第１のデータ情報保持手段に保持されたデータ情報であって前記第２のデータ情報保持手段に保持されていないものを、搬送が開始された原稿のデータ情報として特定することを特徴とする請求項１記載の自動原稿給送装置。
【請求項３】
前記データ情報読取手段は、前記データ情報の読み取りが可能な範囲である可読範囲を有し、前記原稿台上の全範囲が可読範囲となるように原稿台に少なくとも１つ配置されていることを特徴とする請求項１又は２記載の自動原稿給送装置。
【請求項４】
原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段とを備える自動原稿給送装置において、
前記原稿台に原稿が載置された状態で、前記複数のデータ情報読取手段が一度に読み取った複数のデータ情報を前記記憶手段の第１の記憶領域にそれぞれ保持する第１のデータ情報保持手段と、
前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持手段と、
前記第１の記憶領域に保持された複数のデータ情報と前記第２の記憶領域に保持された複数のデータ情報とを比較するデータ情報比較手段と、
前記データ情報比較手段による比較結果から、搬送が開始された原稿のデータ情報を特定するデータ情報特定手段と、
前記特定されたデータ情報に基づいて、搬送が開始された原稿の搬送制御を行う制御手段とを備えることを特徴とする自動原稿給送装置。
【請求項５】
原稿が前記原稿台上に載置された位置から１枚ずつ分離されて当該原稿の斜行補正のために一時停止する一時停止位置まで搬送される間に、前記原稿台に原稿が載置された状態で当該原稿の情報記録媒体からデータ情報の読み取りを行った前記複数のデータ情報読取手段の少なくとも１つとは別の前記データ情報読取手段の少なくとも１つが当該原稿の情報記録媒体からデータ情報の読み取りが可能となるように、前記複数のデータ情報読取手段が前記原稿台に配置されていることを特徴とする請求項４記載の自動原稿給送装置。
【請求項６】
前記複数のデータ情報読取手段の配置間隔をｌｄとし、原稿が前記原稿台上に載置された位置から１枚ずつ分離されて当該原稿の斜行補正のために一時停止する一時停止位置までの原稿搬送距離をＬとし、前記複数のデータ情報読取手段の可読範囲が全て半径Ｒの円である場合、前記配置間隔ｌｄと前記原稿搬送距離Ｌと前記半径Ｒとの関係が、
Ｒ＞Ｌの場合、ｌｄ≦√２×Ｒ、ｌｄ≦Ｒ＋Ｌとなり、
Ｒ＜Ｌの場合、ｌｄ≦√２×Ｒとなるように、
前記複数のデータ情報読取手段が前記原稿台に配置されていることを特徴とする請求項４又は５記載の自動原稿給送装置。
【請求項７】
前記情報記録媒体はＲＦＩＤタグ又はＲＦＩＤチップから成り、原稿１枚に付き少なくとも２つ埋め込まれていることを特徴とする請求項１乃至６のいずれか１項に記載の自動原稿給送装置。
【請求項８】
原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段と、搬送中の原稿の画像を読み取る画像読取手段とを備える画像読取装置において、
前記原稿台に原稿が載置された状態で、前記データ情報読取手段が一度に読み取ったデータ情報を前記記憶手段の第１の記憶領域に保持する第１のデータ情報保持手段と、
前記原稿搬送手段による原稿の搬送開始後に、前記データ情報読取手段が一度に読み取ったデータ情報を前記記憶手段の第２の記憶領域に保持する第２のデータ情報保持手段と、
前記第１の記憶領域に保持されたデータ情報と前記第２の記憶領域に保持されたデータ情報とを比較するデータ情報比較手段と、
前記データ情報比較手段による比較結果から、搬送が開始された原稿のデータ情報を特定するデータ情報特定手段と、
前記特定されたデータ情報に基づいて、搬送が開始された原稿の搬送制御及び画像読取制御を行う制御手段とを備えることを特徴とする画像読取装置。
【請求項９】
原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段と、搬送中の原稿の画像を読み取る画像読取手段とを備える画像読取装置において、
前記原稿台に原稿が載置された状態で、前記複数のデータ情報読取手段が一度に読み取った複数のデータ情報を前記記憶手段の第１の記憶領域にそれぞれ保持する第１のデータ情報保持手段と、
前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持手段と、
前記第１の記憶領域に保持された複数のデータ情報と前記第２の記憶領域に保持された複数のデータ情報とを比較するデータ情報比較手段と、
前記データ情報比較手段による比較結果から、搬送が開始された原稿のデータ情報を特定するデータ情報特定手段と、
前記特定されたデータ情報に基づいて、搬送が開始された原稿の搬送制御及び画像読取制御を行う制御手段とを備えることを特徴とする画像読取装置。
【請求項１０】
原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段とを備える自動原稿給送装置の制御方法において、
前記原稿台に原稿が載置された状態で、前記データ情報読取手段が一度に読み取ったデータ情報を前記記憶手段の第１の記憶領域に保持する第１のデータ情報保持工程と、
前記原稿搬送手段による原稿の搬送開始後に、前記データ情報読取手段が一度に読み取ったデータ情報を前記記憶手段の第２の記憶領域に保持する第２のデータ情報保持工程と、
前記第１の記憶領域に保持されたデータ情報と前記第２の記憶領域に保持されたデータ情報とを比較するデータ情報比較工程と、
前記データ情報比較工程における比較結果から、搬送が開始された原稿のデータ情報を特定するデータ情報特定工程と、
前記特定されたデータ情報に基づいて、搬送が開始された原稿の搬送制御を行う制御工程とを備えることを特徴とする制御方法。
【請求項１１】
原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段とを備える自動原稿給送装置の制御方法において、
前記原稿台に原稿が載置された状態で、前記複数のデータ情報読取手段が一度に読み取った複数のデータ情報を前記記憶手段の第１の記憶領域にそれぞれ保持する第１のデータ情報保持工程と、
前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持工程と、
前記第１の記憶領域に保持された複数のデータ情報と前記第２の記憶領域に保持された複数のデータ情報とを比較するデータ情報比較工程と、
前記データ情報比較工程における比較結果から、搬送が開始された原稿のデータ情報を特定するデータ情報特定工程と、
前記特定されたデータ情報に基づいて、搬送が開始された原稿の搬送制御を行う制御工程とを備えることを特徴とする制御方法。
【請求項１２】
原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段と、搬送中の原稿の画像を読み取る画像読取手段とを備える画像読取装置の制御方法において、
前記原稿台に原稿が載置された状態で、前記データ情報読取手段が一度に読み取ったデータ情報を前記記憶手段の第１の記憶領域に保持する第１のデータ情報保持工程と、
前記原稿搬送手段による原稿の搬送開始後に、前記データ情報読取手段が一度に読み取ったデータ情報を前記記憶手段の第２の記憶領域に保持する第２のデータ情報保持工程と、
前記第１の記憶領域に保持されたデータ情報と前記第２の記憶領域に保持されたデータ情報とを比較するデータ情報比較工程と、
前記データ情報比較工程における比較結果から、搬送が開始された原稿のデータ情報を特定するデータ情報特定工程と、
前記特定されたデータ情報に基づいて、搬送が開始された原稿の搬送制御及び画像読取制御を行う制御工程とを備えることを特徴とする制御方法。
【請求項１３】
原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段と、搬送中の原稿の画像を読み取る画像読取手段とを備える画像読取装置の制御方法において、
前記原稿台に原稿が載置された状態で、前記複数のデータ情報読取手段が一度に読み取った複数のデータ情報を前記記憶手段の第１の記憶領域にそれぞれ保持する第１のデータ情報保持工程と、
前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持工程と、
前記第１の記憶領域に保持された複数のデータ情報と前記第２の記憶領域に保持された複数のデータ情報とを比較するデータ情報比較工程と、
前記データ情報比較工程における比較結果から、搬送が開始された原稿のデータ情報を特定するデータ情報特定工程と、
前記特定されたデータ情報に基づいて、搬送が開始された原稿の搬送制御及び画像読取制御を行う制御工程とを備えることを特徴とする制御方法。
【発明の詳細な説明】
【技術分野】
【０００１】
本発明は、原稿台に載置された原稿束を１枚ずつ給送する自動原稿給送装置及びその制御方法、並びに該自動原稿給送装置により搬送された原稿の画像を読み取る画像読取装置及びその制御方法に関する。
【背景技術】
【０００２】
従来、画像読取装置にＲＦＩＤ（Radio Frequancy IDentification）リーダを配置し、原稿に付加されたＲＦＩＤタグからデータ情報を読み取り、読み取った原稿画像に処理を加える画像処理システムが提案されている（特許文献１参照）。この画像処理システムでは、原稿に付加されたＲＦＩＤタグからデータ情報を読み取る方法として、（１）原稿が原稿台に載置されたときに一度に読み取る、（２）原稿がレジストローラ通過後で画像読取直前に１枚毎に読み取るという２つの方法が開示されている。
【特許文献１】特開２００４−０８６７０８号公報
【発明の開示】
【発明が解決しようとする課題】
【０００３】
しかしながら、上記（１）では、原稿束の各原稿と読み取ったデータ情報との関連付けが難しい。また、上記（２）では、データ情報の読み取りタイミングが遅くなる。そのため、ＲＦＩＤタグに保持されているデータ情報の利用が画像読み取り時の制御に限定され、その他の制御、例えば、原稿搬送に関連する制御に利用ができないという問題がある。
【０００４】
また、ＲＦＩＤの特性として、各原稿上の同じ位置にＲＦＩＤタグが貼付された原稿束であってＲＦＩＤタグが重なって配置されると、ＲＦＩＤリーダによる各ＲＦＩＤタグの読み取りが困難になるという問題がある。
【０００５】
本発明は、上記問題に鑑みて成され、原稿台上の原稿から一度に読み取った複数のデータ情報の中から搬送を開始した原稿に対応するデータ情報を取り出すことができる自動原稿給送装置、画像読取装置、及びそれらの制御方法を提供することを目的とする。
【０００６】
また、本発明は、取り出したデータ情報に基づいて搬送中の原稿の搬送制御又は画像読取制御を適正に行うことができる自動原稿給送装置、画像読取装置、及びそれらの制御方法を提供することを目的とする。
【課題を解決するための手段】
【０００７】
上記目的を達成するために、請求項１記載の自動原稿給送装置は、原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段とを備える自動原稿給送装置において、
前記原稿台に原稿が載置された状態で、前記データ情報読取手段が一度に読み取ったデータ情報を前記記憶手段の第１の記憶領域に保持する第１のデータ情報保持手段と、前記原稿搬送手段による原稿の搬送開始後に、前記データ情報読取手段が一度に読み取ったデータ情報を前記記憶手段の第２の記憶領域に保持する第２のデータ情報保持手段と、前記第１の記憶領域に保持されたデータ情報と前記第２の記憶領域に保持されたデータ情報とを比較するデータ情報比較手段と、前記データ情報比較手段による比較結果から、搬送が開始された原稿のデータ情報を特定するデータ情報特定手段と、前記特定されたデータ情報に基づいて、搬送が開始された原稿の搬送制御を行う制御手段とを備えることを特徴とする。
【０００８】
上記目的を達成するために、請求項４記載の自動原稿給送装置は、原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段とを備える自動原稿給送装置において、前記原稿台に原稿が載置された状態で、前記複数のデータ情報読取手段が一度に読み取った複数のデータ情報を前記記憶手段の第１の記憶領域にそれぞれ保持する第１のデータ情報保持手段と、前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持手段と、前記第１の記憶領域に保持された複数のデータ情報と前記第２の記憶領域に保持された複数のデータ情報とを比較するデータ情報比較手段と、前記データ情報比較手段による比較結果から、搬送が開始された原稿のデータ情報を特定するデータ情報特定手段と、前記特定されたデータ情報に基づいて、搬送が開始された原稿の搬送制御を行う制御手段とを備えることを特徴とする。
【０００９】
上記目的を達成するために、請求項８記載の画像読取装置は、原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段と、搬送中の原稿の画像を読み取る画像読取手段とを備える画像読取装置において、前記原稿台に原稿が載置された状態で、前記データ情報読取手段が一度に読み取ったデータ情報を前記記憶手段の第１の記憶領域に保持する第１のデータ情報保持手段と、前記原稿搬送手段による原稿の搬送開始後に、前記データ情報読取手段が一度に読み取ったデータ情報を前記記憶手段の第２の記憶領域に保持する第２のデータ情報保持手段と、前記第１の記憶領域に保持されたデータ情報と前記第２の記憶領域に保持されたデータ情報とを比較するデータ情報比較手段と、前記データ情報比較手段による比較結果から、搬送が開始された原稿のデータ情報を特定するデータ情報特定手段と、前記特定されたデータ情報に基づいて、搬送が開始された原稿の搬送制御及び画像読取制御を行う制御手段とを備えることを特徴とする。
【００１０】
上記目的を達成するために、請求項９記載の画像読取装置は、原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段と、搬送中の原稿の画像を読み取る画像読取手段とを備える画像読取装置において、前記原稿台に原稿が載置された状態で、前記複数のデータ情報読取手段が一度に読み取った複数のデータ情報を前記記憶手段の第１の記憶領域にそれぞれ保持する第１のデータ情報保持手段と、前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持手段と、前記第１の記憶領域に保持された複数のデータ情報と前記第２の記憶領域に保持された複数のデータ情報とを比較するデータ情報比較手段と、前記データ情報比較手段による比較結果から、搬送が開始された原稿のデータ情報を特定するデータ情報特定手段と、前記特定されたデータ情報に基づいて、搬送が開始された原稿の搬送制御及び画像読取制御を行う制御手段とを備えることを特徴とする。
【００１１】
上記目的を達成するために、請求項１０記載の自動原稿給送装置の制御方法は、原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段とを備える自動原稿給送装置の制御方法において、前記原稿台に原稿が載置された状態で、前記データ情報読取手段が一度に読み取ったデータ情報を前記記憶手段の第１の記憶領域に保持する第１のデータ情報保持工程と、前記原稿搬送手段による原稿の搬送開始後に、前記データ情報読取手段が一度に読み取ったデータ情報を前記記憶手段の第２の記憶領域に保持する第２のデータ情報保持工程と、前記第１の記憶領域に保持されたデータ情報と前記第２の記憶領域に保持されたデータ情報とを比較するデータ情報比較工程と、前記データ情報比較工程における比較結果から、搬送が開始された原稿のデータ情報を特定するデータ情報特定工程と、前記特定されたデータ情報に基づいて、搬送が開始された原稿の搬送制御を行う制御工程とを備えることを特徴とする。
【００１２】
上記目的を達成するために、請求項１１記載の自動原稿給送装置の制御方法は、原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段とを備える自動原稿給送装置の制御方法において、前記原稿台に原稿が載置された状態で、前記複数のデータ情報読取手段が一度に読み取った複数のデータ情報を前記記憶手段の第１の記憶領域にそれぞれ保持する第１のデータ情報保持工程と、前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持工程と、前記第１の記憶領域に保持された複数のデータ情報と前記第２の記憶領域に保持された複数のデータ情報とを比較するデータ情報比較工程と、前記データ情報比較工程における比較結果から、搬送が開始された原稿のデータ情報を特定するデータ情報特定工程と、前記特定されたデータ情報に基づいて、搬送が開始された原稿の搬送制御を行う制御工程とを備えることを特徴とする。
【００１３】
上記目的を達成するために、請求項１２記載の画像読取装置の制御方法は、原稿が載置される原稿台と、前記原稿台に載置された原稿を１枚ずつ搬送する原稿搬送手段と、原稿に埋め込まれた情報記録媒体からデータ情報の読み取りを行うデータ情報読取手段と、前記データ情報を記憶する記憶手段と、搬送中の原稿の画像を読み取る画像読取手段とを備える画像読取装置の制御方法において、前記原稿台に原稿が載置された状態で、前記データ情報読取手段が一度に読み取ったデータ情報を前記記憶手段の第１の記憶領域に保持する第１のデータ情報保持工程と、前記原稿搬送手段による原稿の搬送開始後に、前記データ情報読取手段が一度に読み取ったデータ情報を前記記憶手段の第２の記憶領域に保持する第２のデータ情報保持工程と、前記第１の記憶領域に保持されたデータ情報と前記第２の記憶領域に保持されたデータ情報とを比較するデータ情報比較工程と、前記データ情報比較工程における比較結果から、搬送が開始された原稿のデータ情報を特定するデータ情報特定工程と、前記特定されたデータ情報に基づいて、搬送が開始された原稿の搬送制御及び画像読取制御を行う制御工程とを備えることを特徴とする。
【００１４】
上記目的を達成するために、請求項１３記載の画像読取装置の制御方法は、原稿が載置される原稿台と、前記原稿台に載置された原稿を１枚ずつ搬送する原稿搬送手段と、原稿に埋め込まれた情報記録媒体からデータ情報の読み取りを行う複数のデータ情報読取手段と、前記複数のデータ情報を記憶する記憶手段と、搬送中の原稿の画像を読み取る画像読取手段とを備える画像読取装置の制御方法において、前記原稿台に原稿が載置された状態で、前記複数のデータ情報読取手段が一度に読み取った複数のデータ情報を前記記憶手段の第１の記憶領域にそれぞれ保持する第１のデータ情報保持工程と、前記原稿搬送手段による原稿の搬送開始後に、前記複数のデータ情報読取手段が一度に読み取った複数のデータ情報を前記記憶手段の第２の記憶領域にそれぞれ保持する第２のデータ情報保持工程と、前記第１の記憶領域に保持された複数のデータ情報と前記第２の記憶領域に保持された複数のデータ情報とを比較するデータ情報比較工程と、前記データ情報比較工程における比較結果から、搬送が開始された原稿のデータ情報を特定するデータ情報特定工程と、前記特定されたデータ情報に基づいて、搬送が開始された原稿の搬送制御及び画像読取制御を行う制御工程とを備えることを特徴とする。
【発明の効果】
【００１５】
本発明によれば、原稿台に原稿が載置された状態で、データ情報読取手段が一度に読み取ったデータ情報を記憶手段の第１の記憶領域に保持する。次に、原稿搬送手段による原稿の搬送開始後に、データ情報読取手段が一度に読み取ったデータ情報を記憶手段の第２の記憶領域に保持する。そして、第１の記憶領域に保持されたデータ情報と第２の記憶領域に保持されたデータ情報とを比較し、その比較結果から、搬送が開始された原稿のデータ情報を特定する。そして、特定されたデータ情報に基づいて、搬送が開始された原稿の搬送制御又は画像読取制御を行う。これにより、原稿台上の原稿から一度に読み取った複数のデータ情報の中から搬送を開始した原稿に対応するデータ情報を取り出すことができ、当該データ情報に基づいて搬送中の原稿の搬送制御又は画像読取制御を適正に行うことができる。
【発明を実施するための最良の形態】
【００１６】
以下、本発明の実施の形態を図面を参照して詳細に説明する。
【００１７】
［第１の実施形態］
図１は、本発明の第１の実施形態に係る画像読取装置の概略構成を示す縦断面図である。
【００１８】
図１において、本画像読取装置は、自動原稿給送装置（Auto Document Feeder、以下「ＡＤＦ」という）１００と、画像読取機能を備えるリーダ部２００とで構成される。
【００１９】
ＡＤＦ１００は、原稿束Ｓが載置される原稿トレイ２０を備える。原稿トレイ２０上には、載置された原稿束Ｓの特定以上の長さを有する原稿の原稿サイズ（長さ）を検知する原稿検知センサ１５が配置されている。原稿トレイ２０内には、原稿束Ｓの各原稿に付加されたＲＦＩＤ（Radio Frequancy IDentification）タグからデータ情報を読み取ることが可能な２つのＲＦＩＤリーダ３０，３１が配置されている。
【００２０】
ＡＤＦ１００は、原稿の載置有無を検知する原稿有無検知センサ１４と、原稿を装置内へ給送するためのピックアップローラ１と、原稿を１枚ずつ分離する分離部２と、原稿が１枚ずつ分離されたか否かを検知する分離センサ１０とを備える。また、ＡＤＦ１００は、第１レジストローラ３と、第２レジストローラ４と、第１搬送ローラ５と、第２搬送ローラ６と、大ローラ７と、排紙ローラ８と、レジストセンサ１１と、リードセンサ１２と、排紙センサ１３と、排紙トレイ２１とを備える。
【００２１】
原稿トレイ２０上に表面を上に向けて原稿束Ｓが載置され、原稿読み取りが開始されると、ピックアップローラ１により原稿束Ｓの最上位の原稿が分離部２へ繰り出される。分離部２は、上方に分離ローラが、下方に分離パッドが配置されており、原稿束Ｓの最上位の原稿より１枚ずつ分離を行う。
【００２２】
片面原稿の表面の画像を読み取る場合、まず分離部２で分離された原稿がレジストセンサ１１により検知される。すると、第１レジストローラ３でレジループを形成し斜行補正を実施するために、レジストセンサ１１の位置を基準としてレジループ形成して停止するタイミング取りを実施する。こうして原稿が第１レジストローラ３で斜行補正された後に、第１レジストローラ３から第２レジストローラ４へ搬送される。原稿は、大ローラ７を駆動源とし、第２レジストローラ４と大ローラ７及び第２搬送ローラ６と大ローラ７とでそれぞれ原稿を挟むようにして搬送される。そして、リードセンサ１２により原稿先端が検出されると、リードセンサ１２の位置基準で読み取り位置Ｒのタイミング取りが実施される。第１搬送ローラ５により搬送される原稿が読取位置Ｒを搬送されている間に表面の画像が読み取られる。その後、原稿は、第２搬送ローラ６から排紙ローラ８に搬送され、排紙ローラ８により排紙トレイ２１上に原稿表面を下に向けて順番に排出される。最終原稿については、最終原稿の排紙終了により排紙ローラ８を停止させるため、排紙センサ１３がＯＦＦすることで、原稿後端が排紙センサ１３を抜けたことが検知される。すると、排紙センサ１３のＯＦＦ検知のタイミングを基準として、原稿が排紙ローラ８を抜けるまでの所定量搬送されるタイミング取りが実施され、原稿が所定量搬送された後に排紙ローラ８が停止する。
【００２３】
一方、両面原稿の表裏両面の画像を読み取る場合、分離部２で分離された原稿が第１レジストローラ３で斜行補正された後に、第２レジストローラ４から第１搬送ローラ５へ搬送される。そして、第１搬送ローラ５により搬送される原稿が読取位置Ｒを搬送されている間に表面の画像が読み取られる。
【００２４】
さらに、原稿は第２搬送ローラ６から排紙ローラ８に搬送される。そして、排紙センサ１３がＯＦＦしてから排紙センサ１３のＯＦＦ検知のタイミングを基準として、原稿が所定量搬送された位置で原稿後端部が排紙ローラ８にニップされた状態で原稿の搬送が停止される。その後、原稿はスイッチバック搬送され、第２レジストローラ４で再度斜行補正された後に、第１搬送ローラ５及び第２搬送ローラ６により搬送され、読取位置Ｒを再度搬送されている間に裏面の画像が読み取られる。その後、このまま第２搬送ローラ６から排紙ローラ８により排紙トレイ２１上に原稿表面を上に向けて原稿が排出されると、原稿トレイ２０上に載置された面順と異なってしまう。
【００２５】
そこで、裏面を読み取られた原稿は、第２搬送ローラ６及び排紙ローラ８により排紙トレイ２１上に搬送され、原稿後端側が排紙ローラ８にニップされた状態で原稿の搬送が停止される。その後、原稿はスイッチバック搬送され、第２レジストローラ４、第１搬送ローラ５、及び第２搬送ローラ６により搬送された後に、排紙ローラ８により排紙トレイ２１上に表面を下に向けて順番に排出される。この間は、原稿が読取位置Ｒを搬送されている間であっても原稿画像の読み取りは行われない。
【００２６】
リーダ部２００は、原稿上に記録された画像情報を光学的に読み取り、光電変換して画像データとして入力するものである。リーダ部２００は、ＡＤＦ用プラテンガラス２０１と、ブック用プラテンガラス２０２と、スキャナユニット２０９と、ミラー２０５，２０６と、レンズ２０７と、ＣＣＤセンサ２０８と、不図示の制御部とを備える。スキャナユニット２０９は、ランプ２０３とミラー２０４とを備える。
【００２７】
リーダ部２００は、ＡＤＦ１００により搬送される原稿の画像を読み取る場合、スキャナユニット２０９をＡＤＦ用プラテンガラス２０１の下に移動して停止させ、原稿が読取位置Ｒ上を搬送されている間に原稿上の画像情報を読み取る。
【００２８】
また、リーダ部２００は、ブック用プラテンガラス２０２上に載置された原稿の画像を読み取る場合、スキャナユニット２０９を図示しない基準位置から副走査方向に移動させ、画像情報を読み取る。ブック読み取り時に使用する図示しない基準位置とは、原稿を載置する際に図示しない突き当て指標位置に突き当てるようにして原稿載置するが、この突き当て位置のことであり、副走査方向の画像読み取り時の画像先端位置として使用される。
【００２９】
原稿上の画像情報が読み取られる際には、ランプ２０３が点灯して原稿を照射する。原稿の反射光は、ミラー２０４，２０５，２０６及びレンズ２０７を介してＣＣＤセンサ２０８に入力される。そして、ＣＣＤセンサ２０８に入力された原稿の反射光は、光電変換等の電気処理が行われ、通常のデジタル処理が施される。
【００３０】
図２は、図１におけるＡＤＦ１００の制御部の概略構成を示すブロック図である。
【００３１】
図２において、制御部は、中央演算処理装置（Central Processing Unit、以下「ＣＰＵ」という）８００と、ＲＯＭ（Read Only Memory）８０１と、ＲＡＭ（Random Access Memory）８０２と、入力ポート８０３と、出力ポート８０４を備える。
【００３２】
ＲＯＭ８０１には、制御用プログラムが格納されている。ＲＡＭ８０２には、入力データや作業用データが格納されている。入力ポート８０３には、分離センサ１０、レジストセンサ１１、リードセンサ１２、排紙センサ１３、原稿有無検知センサ１４、原稿長検知センサ１５、原稿幅検知センサ８１０、及びＲＦＩＤリーダ３０，３１がそれぞれ接続されている。出力ポート８０４には、分離モータＭ１、給紙モータＭ２、排紙モータＭ３、離間ソレノイドＳＬ、及び給紙クラッチＣＬが接続されている。
【００３３】
ＣＰＵ８００は、バスを介して接続されたＲＯＭ８０１に格納された制御プログラムを実行して分離モータＭ１、給紙モータＭ２、排紙モータＭ３、離間ソレノイドＳＬ、給紙クラッチＣＬを制御する。ＣＰＵ８００は、図示しないリーダ部２００の中央演算処理装置（ＣＰＵ）とシリアル通信を行い、リーダ部２００との間で制御データの授受を行うようになっている。
【００３４】
次に、ＡＤＦ１００を利用した原稿画像の読取処理の流れを図３〜図９を参照して説明する。
【００３５】
図３は、ＡＤＦ１００を利用した画像読取処理の流れを示すフローチャートである。
【００３６】
画像読取装置は、ＡＤＦ１００の原稿トレイ２０上に原稿が載置されたか否か又は画像形成装置本体の操作部（不図示）のスタートキーが押下されたか否かを繰り返し判定しつつ待機状態となっている（ステップＳ２００）。原稿が原稿トレイ２０上に載置されたか否かの判定は、原稿有無検知センサ１４による原稿の検出結果に基づいてＣＰＵ８００により判定される。
【００３７】
原稿が原稿トレイ２０に載置され且つスタートキーが押下された場合は、ＡＤＦ１００は動作を開始し（ステップＳ２００でＹＥＳ）、片面原稿モードが選択されているか否かを判別する（ステップＳ２０１）。
【００３８】
片面モードが選択された場合（ステップＳ２０１でＹＥＳ）、画像読取装置は、ＡＤＦ１００による原稿の分離動作処理（ステップＳ２０２）、給紙動作処理（ステップＳ２０３）を行い、原稿読み取り開始前に原稿サイズを判別する。原稿サイズの判別は、原稿トレイ２０上での規制ガイド板（不図示）の幅情報と給紙動作完了時点での分離センサ１０の検出結果により判別される。そして、画像読取装置は、読取動作処理（ステップＳ２０４）、排紙動作処理（ステップＳ２０５）を行い、排紙トレイ２１へと原稿を順次排出する。
【００３９】
一方、両面モードが選択された場合（ステップＳ２０１でＮＯ）、異幅混載であるか否かの判別が行われる。通常の両面モードの場合、画像読取装置は、ＡＤＦ１００による原稿の分離動作処理（ステップＳ２０６）、給紙動作処理（ステップＳ２０７）を行い、片面モード時と同様に原稿サイズを判別する。
【００４０】
そして、画像読取装置は、原稿表面の画像の読取動作処理（ステップＳ２０８）を行い、反転動作処理（ステップＳ２０９）、原稿裏面の画像の読取動作処理（ステップＳ２１０）を行う。さらに、画像読取装置は、反転動作処理（ステップＳ２１１）、空送り動作（ステップＳ２１２）、排紙動作処理（ステップＳ２１３）を行い、排紙トレイ２１へと原稿を排出する。
【００４１】
次に、図３の処理における分離動作処理の詳細を図４を用いて説明する。
【００４２】
図４は、図３の処理における分離動作処理の詳細を示すフローチャートである。
【００４３】
原稿有無検知センサ１４が原稿トレイ２０上に載置された原稿を検知すると、ＣＰＵ８００は分離モータＭ１を正転駆動（ＯＮ）すると同時に給紙クラッチＣＬをＯＮする（ステップＳ３０１）。そして、ＣＰＵ８００は、ピックアップローラ１を上下動させるピックアップアーム（不図示）を駆動し、原稿トレイ２０上の原稿束Ｓの最上位の原稿にピックアップローラ１が接するまでピックアップローラ１を降下させる。同時に、ＣＰＵ８００はピックアップローラ１と分離部２の分離ローラを給紙方向に駆動し、最上位の原稿のみが分離部２から搬送パスへと分離搬送される。
【００４４】
次に、分離された原稿の先端が分離センサ１０に達して分離センサ１０が原稿先端を検知（分離センサＯＮ）すると（ステップＳ３０２でＹＥＳ）、ＣＰＵ８００は原稿トレイ２０上の原稿束Ｓから１枚の原稿が分離されたことを認識する。
【００４５】
次に、原稿の先端がレジストセンサ１１に達してレジストセンサ１１が原稿先端を検知（レジストセンサＯＮ）すると（ステップＳ３０３でＹＥＳ）、原稿が所定量搬送される（ステップＳ３０４）。次に、原稿が所定量搬送されたときは（ステップＳ３０５でＹＥＳ）、ＣＰＵ８００は分離モータＭ１を停止（ＯＦＦ）して（ステップＳ３０６）、本処理を終了する。このとき、第１レジストローラ３は駆動停止しており、分離された原稿の先端が第１レジストローラ３にループ形成された状態で突き当てられ、原稿の斜行が補正される。
【００４６】
次に、図３の処理における給紙動作処理の詳細を図５を用いて説明する。
【００４７】
図５は、図３の処理における給紙動作処理の詳細を示すフローチャートである。
【００４８】
給紙動作には、分離パスからの給紙動作と反転パスからの給紙動作がある。分離パスからの給紙動作の場合、ＣＰＵ８００は、分離モータＭ１を分離動作時に対して逆転駆動（ＯＮ）する（ステップＳ４０２）。次に、ＣＰＵ８００は、第１レジストローラ３を駆動すると共に、給紙モータＭ２を起動（ＯＮ）し（ステップＳ４０３）、第２レジストローラ４と第１搬送ローラ５と第２搬送ローラ６が駆動される。一方、反転パスからの給紙動作の場合、ＣＰＵ８００は給紙モータＭ２のみを起動する。
【００４９】
第２レジストローラ４の上流で停止している原稿は、給紙モータＭ２によって駆動される第２レジストローラ４へと搬送される。そして、搬送される原稿の先端がリードセンサ１２に達したことをリードセンサ１２が検知（リードセンサＯＮ）すると（ステップＳ４０４でＹＥＳ）、原稿が所定量搬送される（ステップＳ４０５）。
【００５０】
次に、原稿が所定量搬送されたときは（ステップＳ４０６でＹＥＳ）、ＣＰＵ８００は給紙モータＭ２を停止（ＯＦＦ）し（ステップＳ４０７）、原稿先端を読み取り位置Ｒより上流に停止させる。このとき、分離パスからの給紙動作であった場合、ＣＰＵ８００は分離モータＭ１も停止する。
【００５１】
次に、図３の処理における読取動作処理の詳細を図６を用いて説明する。
【００５２】
図６は、図３の処理における読取動作処理の詳細を示すフローチャートである。
【００５３】
まず、ＣＰＵ８００は給紙モータＭ２を駆動（ＯＮ）して、第２レジストローラ４と第１搬送ローラ５と第２搬送ローラ６が駆動される（ステップＳ５０１）。次に、読取位置Ｒの上流で停止している原稿が読取位置Ｒまで搬送され（ステップＳ５０２）、原稿先端が読取位置Ｒに到達したときは（ステップＳ５０３でＹＥＳ）、リーダ部２００による原稿の画像読取が開始される（ステップＳ５０４）。画像読取の開始は、ＡＤＦ１００からリーダ部２００に対して読取開始を通知することで、リーダ部２００が画像読み取りを開始する。
【００５４】
次に、原稿の先端が排紙センサ１３に到達して排紙センサ１３が原稿先端を検知（排紙センサＯＮ）したときは（ステップＳ５０５でＹＥＳ）、ＣＰＵ８００は排紙モータＭ３を駆動開始（正転ＯＮ）する（ステップＳ５０６）。
【００５５】
次に、原稿が所定量搬送された後（ステップＳ５０７）、原稿有無検知センサ１４が原稿トレイ２０上に載置された原稿を検知したときは（ステップＳ５０８、ステップＳ５０９でＹＥＳ）、ＣＰＵ８００は次原稿の分離開始を許可する（ステップＳ５１０）。実際に分離が開始されるタイミングは、原稿サイズ及び原稿搬送速度（読み取り速度）によって変更される。
【００５６】
次に、原稿後端がリードセンサ１２に達してリードセンサ１２が原稿後端を検知（リードセンサＯＦＦ）すると（ステップＳ５１１でＹＥＳ）、原稿が所定量搬送される（ステップＳ５１２）。
【００５７】
次に、原稿後端が読取位置Ｒに達したときは（ステップＳ５１３でＹＥＳ）、画像読取を終了する（ステップＳ５１４）。画像読取の終了は、読取開始と同様に、ＡＤＦ１００からリーダ部２００に対して読取終了を通知することで、リーダ部２００が画像読み取りを終了する。そして、ＣＰＵ８００は給紙モータＭ２を停止（ＯＦＦ）して（ステップＳ５１５）、本処理を終了する。
【００５８】
次に、図３の処理における排紙動作処理の詳細を図７を用いて説明する。
【００５９】
図７は、図３の処理における排紙動作処理の詳細を示すフローチャートである。
【００６０】
原稿は、原稿画像の読み取りが終了し、原稿後端が読取位置Ｒより下流の位置で停止している状態にある。次に、原稿は、給紙モータＭ２が駆動（ＯＮ）され、同時に、排紙モータＭ３が正転駆動（ＯＮ）されることにより第２搬送ローラ６と排紙ローラ８が駆動され、搬送パス下流側へと搬送される（ステップＳ６０１）。
【００６１】
次に、排紙センサ１３が原稿後端を検知（排紙センサＯＦＦ）したときは（ステップＳ６０２でＹＥＳ）、ＣＰＵ８００は、原稿が給紙モータＭ２の駆動系から外れたとして、給紙モータＭ２を停止する（ステップＳ６０３でＮＯ、ステップＳ６０４）。一方、次原稿の給紙動作又は読取動作が同時に行われている場合（ステップＳ６０３でＹＥＳ）、ＣＰＵ８００は給紙モータＭ２を停止しない。
【００６２】
次に、原稿が所定量搬送された後（ステップＳ６０５）、原稿後端が排紙ローラ８を抜けて原稿が排紙トレイ２１上に排出される（ステップＳ６０６でＹＥＳ）。そして、ＣＰＵ８００は排紙モータＭ３を停止（ＯＦＦ）して排紙ローラ８の駆動を停止させ（ステップＳ６０７）、本処理を終了する。
【００６３】
次に、図３の処理における反転動作処理の詳細を図８及び図９を用いて説明する。
【００６４】
図８及ぶ図９は、図３の処理における反転動作処理の詳細を示すフローチャートである。
【００６５】
原稿は、原稿画像の読み取りが終了し、原稿後端が読取位置Ｒより下流の位置で停止している状態にある。次に、原稿は、給紙モータＭ２が駆動（ＯＮ）され、同時に、排紙モータＭ３が正転駆動（ＯＮ）されることにより第２搬送ローラ６と排紙ローラ８が駆動され、搬送パス下流側へと搬送される（ステップＳ７０１）。
【００６６】
次に、排紙センサ１３に原稿後端を検知（排紙センサＯＦＦ）したときは（ステップＳ７０２でＹＥＳ）、ＣＰＵ８００は、原稿が給紙モータＭ２の駆動系から外れたとして、給紙モータＭ２を停止する（ステップＳ７０３）。次に、原稿が所定量搬送され（ステップＳ７０４）、原稿先端が排紙トレイ２１上に排出され、原稿後端が排紙ローラ８にニップされた位置に到達すると（ステップＳ７０５でＹＥＳ）、ＣＰＵ８００は排紙モータＭ３を停止（ＯＦＦ）する（ステップＳ７０６）。
【００６７】
次に、ＣＰＵ８００は、排紙モータＭ３を逆転駆動（ＯＮ）して、排紙ローラ８を逆転駆動させる（ステップＳ７０７）。次に、原稿端部が排紙センサ１３に達したことを排紙センサ１３が検知（排紙センサＯＮ）すると（ステップＳ７０８でＹＥＳ）、原稿が所定量搬送される（図９のステップＳ７０９）。
【００６８】
次に、原稿が所定量搬送されたときは（ステップＳ７１０でＹＥＳ）、ＣＰＵ８００は排紙モータＭ３を停止（ＯＦＦ）する（ステップＳ７１１）。このとき、第２レジストローラ４は駆動停止しており、スイッチバックされた原稿の先端が第２レジストローラ４にループ形成された状態で突き当てられ、反転搬送中での原稿の斜行が補正される。
【００６９】
次に、ＣＰＵ８００は給紙モータＭ２を起動（ＯＮ）すると、第２レジストローラ４と第１搬送ローラ５と第２搬送ローラ６が駆動される（ステップＳ７１２）。
【００７０】
第２レジストローラ４に突き当てられた原稿は、搬送パスの下流側へと搬送される。
そして、原稿先端がリードセンサ１２まで達してリードセンサ１２が原稿先端を検知（リードセンサＯＮ）すると（ステップＳ７１３でＹＥＳ）、原稿が所定量搬送される（ステップＳ７１４）。次に、原稿先端が読み取り位置Ｒの上流に到達すると（ステップＳ７１５でＹＥＳ）、ＣＰＵ８００は給紙モータＭ２を停止（ＯＦＦ）して原稿の搬送を停止し（ステップＳ７１６）、本処理を終了する。
【００７１】
図３におけるステップＳ２１２の空送り動作では、上述した図６の読取動作処理における読取開始（ステップＳ５０４）と読取終了（ステップＳ５１２）が行われず、給紙モータＭ２が同様の動作を行う。
【００７２】
ＡＤＦ１００により各種原稿を自動搬送して原稿画像の読み取りを行う場合、原稿の種類に応じて画像読取制御を行うことができれば、最適な画像読取装置を提供することができる。例えば、上記ＡＤＦ１００では、斜行補正を第１レジストローラ３により行っている。しかしながら、ＡＤＦ１００が、原稿表面が滑りやすく、分離ローラやレジストローラ等の搬送ローラとの摩擦で搬送中に斜行しやすい原稿を搬送する場合、第２レジストローラでも斜行補正を行うと、より最適な原稿搬送を実現することができる。
【００７３】
また、厚紙等でも腰の強い紙を搬送する場合、読み取り位置直前の曲面の搬送路でジャムになりやすいので、最適な搬送を実現するために搬送速度を落として画像読取位置まで搬送すると都合が良い場合がある。このような場合、事前に原稿の情報、例えば紙種、紙サイズ、カラー印刷原稿／白黒印刷原稿等が、原稿の搬送開始後で第１レジストローラ３に到達するまでに判明していると、適切な原稿搬送制御及び画像読取制御を実現することが可能となる。そこで、原稿に埋め込まれたＲＦＩＤタグからデータ情報を読み取り、該データ情報に基づいて搬送中の原稿の搬送制御及び画像読取制御を行う画像読取装置の構成について説明する。
【００７４】
図１０は、ＲＦＩＤタグ付き原稿の一例を示す図である。
【００７５】
原稿トレイ２０上に載置される原稿束Ｓの各原稿には、図示のように２つのＲＦＩＤタグ９０，９１が配置されている。ＲＦＩＤタグ９０，９１は、それぞれデータ情報を記憶する記憶部と該データ情報を無線により送受信する送受信部とを備える。なお、ＲＦＩＤタグ９０，９１は、図示の位置に限らず、お互いに重ならない位置に配置されていればよい。
【００７６】
図１１は、原稿トレイ２０を真上から見たＲＦＩＤリーダ３０，３１の配置例と可読範囲の一例を示す図である。
【００７７】
図１１において、ＲＦＩＤリーダ３０は、該ＲＦＩＤリーダ３０を中心として放射円状の範囲内にあるＲＦＩＤタグからデータ情報を読み取ることが可能な可読範囲３２を有する。ＲＦＩＤリーダ３１は、該ＲＦＩＤリーダ３１を中心として放射円状の範囲内にあるＲＦＩＤタグからデータ情報を読み取ることが可能な可読範囲３３を有する。
【００７８】
ＲＦＩＤリーダ３０，３１は、２つのＲＦＩＤリーダ３０，３１により、原稿トレイ２０上に存在する原稿の全てのＲＦＩＤタグからデータ情報を読み取ることが可能となるように配置されている。
【００７９】
図１２（ａ）は、原稿トレイ２０に原稿束Ｓが載置された状態でＲＦＩＤリーダ３１がＲＦＩＤタグ９０からデータ情報を読み取るときの状況を示す図である。図１２（ｂ）は、原稿の搬送開始後にＲＦＩＤリーダ３１がＲＦＩＤタグ９０からデータ情報を読み取れなくなったときの状況を示す図である。
【００８０】
原稿トレイ２０上に原稿束Ｓが載置されると、図１２（ａ）に示すように、可読範囲３３内にＲＦＩＤタグ９０，９１が存在するため、ＲＦＩＤリーダ３１によりＲＦＩＤタグ９０，９１からのデータ情報の読み取りが可能である。ＲＦＩＤリーダ３０，３１により原稿束Ｓの各原稿のＲＦＩＤタグ９０，９１内のデータ情報が読み取られる。原稿束Ｓがセットされて以降、ポーリング動作により所定時間毎にＲＦＩＤタグの検出及びデータ情報の読み取りが実施される。データ情報は、図１３（ａ）、図１３（ｂ）に示すようなアドレス及びデータ形式で構成されており、ＲＦＩＤリーダ３０，３１により、各アドレスにアクセスすることで記録されたデータ情報が読み取られる。
【００８１】
図１３は、ＲＦＩＤリーダ３０，３１により読み取られたデータ情報の構成例を示す図であり、（ａ）は原稿１、（ｂ）は原稿２を示す。
【００８２】
データ情報は、アドレスごとに個別データ部と共通データ部と備える。個別データ部には、各ＲＦＩＤタグに設定された固有のタグＩＤが格納されている。タグＩＤ領域４１１，４１２，４２１，４２２はＲＦＩＤタグを識別するためのタグＩＤが格納された領域である。例えば、原稿１のデータ１０１ａは、原稿１に埋め込まれたＲＦＩＤタグ９０のデータ情報を表し、データ１０１ｂは原稿１に埋め込まれたＲＦＩＤタグ９１のデータ情報を表している。同様に、原稿２のデータ１０２ａは、原稿２のＲＦＩＤ９０のデータ情報を表し、データ１０２ｂは原稿２のＲＦＩＤ９１のデータ情報を表している。
【００８３】
一方、共通データ部には、今回の制御で使用される用紙情報コードや原稿情報コードが予め格納されている。ＲＦＩＤタグ９０，９１のいずれかからＲＦＩＤリーダによりデータ情報が読み取られても当該データ情報を利用して搬送制御や画像読取制御が可能となるように、用紙情報や画像情報等は各ＲＦＩＤタグ９０，９１に等しく格納されている。
【００８４】
用紙情報コード領域４１３，４２３には、上位８ビットにはＲＦＩＤタグが付加された原稿に関する用紙サイズ情報が、下位８ビットには用紙紙種コード情報が格納される。また、原稿情報コード領域４１４，４２４には、上位８ビットにはＲＦＩＤタグが付加された原稿に関するカラーモードか白黒モードかを表す色情報が、下位８ビットには原稿の片両モード（両面／片面）情報が格納される。なお、上記データ情報は、予め原稿作成時にＲＦＩＤライタ等で書き込まれる。
【００８５】
ＲＦＩＤリーダ３０，３１により読み取られたデータ情報は、ＲＡＭ８０２上の記憶領域Ｍａに一旦保持される。
【００８６】
図１４は、ＲＦＩＤリーダ３０，３１により読み取られたデータ情報を保持するためＲＡＭ８０２に確保されたデータ情報の記憶領域を示す図である。
【００８７】
原稿の搬送が開始され、原稿の搬送開始直後のタイミングで再度ＲＦＩＤリーダ３０，３１により原稿束Ｓの各原稿のＲＦＩＤタグ９０，９１からデータ情報が読み取られる。しかしながら、図１２（ｂ）に示すように、原稿が搬送されると搬送中の当該原稿のＲＦＩＤタグ９０，９１がＲＦＩＤリーダ３１の可読範囲３３から外れてしまうため、ＲＦＩＤタグ９０，９１からデータ情報が読み取れなくなる。
【００８８】
搬送中の原稿以外の原稿は、図１２（ａ）に示すように、原稿トレイ２０上に載置されているので、搬送中の原稿以外の原稿のＲＦＩＤタグ９０，９１からデータ情報が読み取られる。そして、読み取られたデータ情報は、ＲＡＭ８０２上の記憶領域Ｍａとは異なる記憶領域Ｍｂに保持される。さらに、記憶領域Ｍａに保持されたデータ情報と記憶領域Ｍｂに保持されたデータ情報とが比較される。こうして、搬送中の原稿のＲＦＩＤタグ９０，９１からデータ情報が読み取られないため、必ず記憶領域Ｍａに保持されていて記憶領域Ｍｂに保持されないデータ情報が発生することになる。比較の結果、記憶領域Ｍａに保持されたデータ情報であって記憶領域Ｍｂに保持されていないデータ情報を検出することにより、当該検出されたデータ情報が搬送中の原稿のデータ情報として特定される。上記で説明した搬送中の原稿データ情報を特定するフローを図２１に示す。
【００８９】
図２１において、まず、原稿トレイ２０上に原稿束Ｓが載置された状態でＲＦＩＤリーダ３０，３１が原稿束Ｓの複数のＲＦＩＤタグ（ＲＦＩＤタグ９０，９１）から複数のデータ情報を読み取る（ステップＳ２１０１）。次に、各ＲＦＩＤリーダ３０，３１により読み取った複数のデータ情報がＲＡＭ８０２上の記憶領域Ｍａに格納される（ステップＳ２１０２）。
【００９０】
次に、原稿束Ｓから１枚の原稿の搬送が開始される（ステップＳ２１０３）。その後、原稿トレイ２０上に原稿束Ｓが載置された状態で再度各ＲＦＩＤリーダ３０，３１により原稿束Ｓの複数のＲＦＩＤタグから読み取られたデータ情報がＲＡＭ８０２上の記憶領域Ｍｂに格納される（ステップＳ２１０４）。つづいて、記憶領域Ｍａに格納されたデータ情報と記憶領域Ｍｂに格納されたデータ情報とを比較する（ステップＳ２１０５）。
【００９１】
次に、記憶領域Ｍａに格納されたデータ情報であって記憶領域Ｍｂに格納されていないデータ情報が搬送中の原稿のデータ情報として特定される（ステップＳ２１０６）。特定されたデータ情報は当該搬送中の原稿に関する用紙情報等で構成されている。このことから、当該データ情報に基づき、レジストローラでの斜行補正の回数や読み取り位置までの搬送速度の変更などを実施することで、最適な原稿搬送制御及び原稿読取制御を実現することが可能となる。
【００９２】
上記実施の形態によれば、原稿トレイ２０に原稿束Ｓが載置された状態で、ＲＦＩＤリーダ３０，３１が原稿束Ｓの各原稿のＲＦＩＤタグ９０，９１から一度に読み取ったデータ情報をＲＡＭ８０２の記憶領域Ｍａに保持する。そして、原稿の搬送開始後に、ＲＦＩＤリーダ３０，３１が一度に読み取ったデータ情報をＲＡＭ８０２の記憶領域Ｍｂに保持する。そして、記憶領域Ｍａに保持されたデータ情報と記憶領域Ｍｂに保持されたデータ情報とを比較し、搬送が開始された原稿のデータ情報を特定する。そして、特定されたデータ情報に基づいて、搬送が開始された原稿の搬送制御及び／又は画像読取制御を行う。これにより、原稿台上の原稿から一度に読み取った複数のデータ情報の中から搬送を開始した原稿に対応するデータ情報を取り出すことができ、当該データ情報に基づいて搬送中の原稿の搬送制御又は画像読取制御を適正に行うことができる。
【００９３】
［第２の実施形態］
本発明の第２の実施形態に係る画像読取装置は、上記第１の実施形態における図１の原稿トレイ２０内に配置されたＲＦＩＤリーダ３０，３１に代えて、可読範囲の小さい複数のＲＦＩＤリーダが一定の間隔で原稿トレイ２０に配置されたものである。以下、同一の構成要素に同一の符号を付して、その説明は省略する。
【００９４】
図１５は、本発明の第２の実施形態に係る画像読取装置の概略構成を示す縦断面図である。図１６は、ＲＦＩＤタグ付き原稿の他の一例を示す図である。図１７は、原稿トレイ２０を真上から見たＲＦＩＤリーダの配置例と可読範囲の一例を示す図である。
【００９５】
図１５において、本画像読取装置は、ＡＤＦ３００と、リーダ部２００とで構成される。ＡＤＦ３００は、原稿束Ｓが載置される原稿トレイ２０を備える。原稿トレイ２０内には、原稿束Ｓの各原稿に付加されたＲＦＩＤ（Radio Frequancy IDentification）タグからデータ情報を読み取ることが可能な複数のＲＦＩＤリーダ１３０２〜１３３３が配置されている（図１７参照）。
【００９６】
各ＲＦＩＤリーダの主走査方向と副走査方向との間隔をｌｄとし、原稿が原稿トレイ２０上に載置された位置から分離されて第１レジストローラ３に突き当たり一旦停止するまでの搬送距離をＬとする。
【００９７】
図１６において、原稿トレイ２０上に載置される原稿束Ｓの各原稿には、図示のように２つのＲＦＩＤタグ１３００，１３０１が配置されている。ＲＦＩＤタグ１３００，１３０１は、それぞれデータ情報を記憶する記憶部と該データ情報を無線により送受信する送受信部とを備える。なお、ＲＦＩＤタグ９０，９１は、図示の位置に限らず、お互いに重ならない位置に配置されていればよい。
【００９８】
図１７において、ＲＦＩＤリーダ１３０２〜１３３３は、各ＲＦＩＤリーダを中心として放射円状に半径Ｒの可読範囲（図中の円内）を有する。原稿トレイ２０上の範囲内に載置された原稿のＲＦＩＤタグを複数のＲＦＩＤリーダで漏れなく検出すべく、主走査方向と副走査方向とで隣り合う可読範囲が重なりあうようにＲＦＩＤリーダが配置されている。主走査方向及び副走査方向への各ＲＦＩＤリーダの配置間隔をｌｄとすると、△ａｂｃは、底辺がｌｄ、他の二辺がＲの直角２等辺三角形になることがわかる。
【００９９】
このことから、ＲＦＩＤリーダの可読範囲の半径ＲとＲＦＩＤリーダの配置間隔ｌｄの関係が、
ｌｄ≦√２×Ｒ              （１）
となるようにＲＦＩＤリーダを配置することで、各原稿に付加されたＲＦＩＤタグを漏れなく検出することが可能となる。
【０１００】
式（１）において、
ｌｄ＝√２×Ｒ              （２）
となるときが、図１７に示す各ＲＦＩＤリーダの可読範囲の重なりが最小の場合である。
【０１０１】
ところで、原稿トレイ２０からの原稿搬送時に斜行補正のため第１レジストローラ３で一旦停止させている。搬送中の原稿が一旦停止するまでに、当該搬送中の原稿の情報、例えば、原稿の紙種や紙サイズ、色、表面情報等を利用することができれば、一旦停止後の原稿の搬送制御や画像読取制御の最適化が可能となる。そこで、原稿が搬送距離Ｌを搬送される間にＲＦＩＤリーダが原稿のＲＦＩＤタグ内の原稿の情報（データ情報）を読み取り、制御部が搬送中の原稿の情報を特定する。
【０１０２】
本実施の形態では、原稿が搬送距離Ｌを搬送されている間に、各ＲＦＩＤリーダの読み取り情報の変化を検出することで、搬送中の原稿のデータ情報を特定する。
【０１０３】
各ＲＦＩＤリーダの可読範囲Ｒと、第１レジストローラ３までの搬送距離Ｌと、各ＲＦＩＤリーダの配置との関係について説明する。例えば、１つのＲＦＩＤリーダが原稿の１つのＲＦＩＤタグからデータ情報を読み出しているときに原稿が搬送距離Ｌを搬送された場合、他の１つのＲＦＩＤリーダが当該ＲＦＩＤタグからデータ情報を読み取る場合について説明する。
【０１０４】
（Ｒ＞Ｌの場合）
原稿が搬送距離Ｌを搬送された場合、他の１つのＲＦＩＤリーダが当該原稿のＲＦＩＤタグを検出するためには、図１８（ａ）に示すように、２つのＲＦＩＤリーダの配置間隔ｌｄが、
ｌｄ≦Ｒ＋Ｌ                （３）
である必要がある。
【０１０５】
ｌｄ≦√２×Ｒ              （１）
ｌｄ≦Ｒ＋Ｌ                （３）
上記式（１）の結果とあわせて、Ｒ＞Ｌの場合、ＲＦＩＤリーダの配置間隔ｌｄが上記式（１）、式（３）の両式を満足する配置になると、搬送距離Ｌを原稿が搬送されている間にＲＦＩＤリーダが原稿内のＲＦＩＤタグに保持されたデータ情報を読み取る。その結果、搬送中の原稿のデータ情報を特定することが可能となる。
【０１０６】
（Ｒ＜Ｌの場合）
搬送距離Ｌを原稿が搬送された場合、他の１つのＲＦＩＤリーダが当該原稿のＲＦＩＤタグを検出するためには、図１８（ｂ）に示すように、２つのＲＦＩＤリーダの配置間隔ｌｄが、
ｌｄ≦２×Ｒ                （４）
である必要がある。
【０１０７】
ｌｄ≦√２×Ｒ              （１）
ＲＦＩＤリーダの配置間隔ｌｄが、上記式（１）を満足する配置になると、搬送距離Ｌを原稿が搬送されている間にＲＦＩＤリーダが原稿内のＲＦＩＤタグに保持されたデータ情報を読み取り、搬送中の原稿のデータ情報を特定することが可能である。
【０１０８】
次に、原稿トレイ２０に配置されるＲＦＩＤリーダの個数について図１７を用いて説明する。
【０１０９】
原稿トレイ２０に配置されるＲＦＩＤリーダの個数は、ＲＦＩＤリーダの配置及び個々のＲＦＩＤリーダの可読範囲により変わってくる。そこで、一例として、図１７に示すＲＦＩＤリーダの可読範囲の重なりが最小となる場合について説明する。
【０１１０】
ＡＤＦ１００上で原稿のＲＦＩＤタグからのデータ情報の読み取りが必要な最大原稿サイズをＬｍａｘ×Ｗｍａｘとする。原稿内のＲＦＩＤタグを原稿トレイ２０内のＲＦＩＤリーダが漏れなく読み取り可能にするためには、図１７に示すように、原稿トレイ２０の内枠サイズが最大原稿検出サイズであることを考慮すればよい。そこで、原稿トレイ２０の内枠サイズを求める。ここでは、内枠サイズをＬｍａｘ×Ｗｍａｘとする。
【０１１１】
図１７に示すように、外枠に可読範囲の円周が接しているとして、外枠と内枠との幅を求める。△ａｂｃは、上述したように直角２等辺三角形になるので、その頂点ｂから垂線を辺ａｃ上に落とした位置をｄとすると、
ｄｂ＝ｌｄ／２＝Ｒ／√２    （５）
そこで、外枠と内枠の差Δｄは、
Δｄ＝ｅｆ−ｄｂ＝Ｒ−ｌｄ／２
となる。最大原稿検出サイズの主走査方向長及び副走査方向長に前後左右分のΔｄを加算して、ＲＦＩＤリーダの配置間隔ｌｄで割ったものが、主走査及び副走査方向のそれぞれに並ぶＲＦＩＤリーダの個数となる。
【０１１２】
主走査方向数＝（Ｗｍａｘ＋２×Δｄ）／ｌｄ＝（Ｗｍａｘ＋２×Ｒ−ｌｄ）／ｌｄ
副走査方向数＝（Ｌｍａｘ＋２×Δｄ）／ｌｄ＝（Ｌｍａｘ＋２×Ｒ−ｌｄ）／ｌｄ
ＲＦＩＤリーダの個数は、
（Ｗｍａｘ＋２×Ｒ−ｌｄ）／ｌｄ×（Ｌｍａｘ＋２×Ｒ−ｌｄ）／ｌｄ    （６）
となる。
【０１１３】
各ＲＦＩＤリーダが原稿トレイ２０に配置された上で、実際に各ＲＦＩＤリーダがＲＦＩＤタグからデータ情報を読み取る方法について説明する。原稿束Ｓが載置された際に、各ＲＦＩＤリーダが各原稿のＲＦＩＤタグ１３００，１３０１からデータ情報を読み取る。
【０１１４】
図１９（ａ）では、ＲＦＩＤリーダ１３１９がＲＦＩＤタグ１３００，１３０１からのデータ情報の読み取りが可能となっている。ＲＦＩＤタグ１３００，１３０１から読み取られたデータ情報の一例は、図１３（ａ）、図１３（ｂ）に示す。各ＲＦＩＤリーダにより読み取られた各データ情報が、ＲＡＭ８０２上の所定のアドレスごとに確保された各ＲＦＩＤリーダのデータ情報の記憶領域に一旦保持される。ＲＡＭ８０２上のアドレス空間に確保された複数のデータ情報の記憶領域を図２０に示す。
【０１１５】
図２０では、ＲＦＩＤリーダ１３０２が原稿トレイ２０上に載置された原稿のＲＦＩＤタグから読み取ったデータ情報が、原稿載置時１３０２用データ領域（記憶領域）に保持される。同様に、ＲＦＩＤリーダ１３０３が原稿トレイ２０上に載置された原稿のＲＦＩＤタグから読み取ったデータ情報が原稿載置時１３０３用データ領域に保持される。こうして、各ＲＦＩＤリーダの原稿載置時のデータ情報記憶領域にデータ情報が保持されていき、ＲＦＩＤリーダ１３２１が原稿トレイ２０上に載置された原稿のＲＦＩＤタグから読み取ったデータ情報が原稿載置時１３２１用データ領域に保持される。なお、ＲＦＩＤタグの読み取りは全てのＲＦＩＤリーダにより実施されるが、図１９の例では、原稿積載時の原稿サイズがＲＦＩＤリーダ１３２２〜１３３３の領域にはかかっていないのでこの領域についての説明は省略する。
【０１１６】
原稿の搬送が開始してから当該原稿が搬送距離Ｌを搬送されたときに、各ＲＦＩＤリーダが原稿のＲＦＩＤタグからデータ情報を読み取る。例えば、原稿が原稿トレイ２０上に載置されていたときにＲＦＩＤリーダ１３１９により読み取られていたデータ情報が、原稿が搬送されることで、ＲＦＩＤリーダ１３１９により読み取れなくなる。そして、ＲＦＩＤリーダ１３１９に代わってＲＦＩＤリーダ１３１５によりデータ情報が読み取られることになる。このときの状態を図１９（ｂ）に示す。
【０１１７】
そして、ＲＡＭ８０２上には、原稿載置時に確保されたデータ領域とは別のデータ領域が確保される。原稿が搬送開始後に各ＲＦＩＤリーダにより読み取られた各データ情報が、ＲＡＭ８０２上の所定のアドレスごとに確保された各ＲＦＩＤリーダのデータ情報のデータ領域（記憶領域）に一旦保持される。その結果、ＲＡＭ８０２は図２０に示すようになる。ＲＦＩＤリーダ１３０２が原稿搬送開始後に原稿のＲＦＩＤタグから読み取ったデータ情報が、原稿搬送開始時１３０２用データ領域に保持される。同様に、ＲＦＩＤリーダ１３０３が原稿搬送開始後に原稿のＲＦＩＤタグから読み取ったデータ情報が原稿搬送開始時１３０３用データ領域に保持される。こうして、各ＲＦＩＤリーダの原稿載置時のデータ情報記憶領域にデータ情報が保持されていき、ＲＦＩＤリーダ１３２１が原稿搬送開始後に原稿のＲＦＩＤタグから読み取ったデータ情報が原稿搬送開始時１３２１用データ領域に保持される。
【０１１８】
図２０において、各ＲＦＩＤリーダのデータ領域について、ＲＦＩＤリーダ毎に、原稿載置時に読み取られて保持されたデータ情報と、原稿搬送開始後に読み取られ保持されたデータ情報とが比較され、変化のあるデータ情報が検出される。検出されたデータ情報が搬送中の原稿のデータ情報であると判断・特定される。上記で説明した搬送中の原稿データ情報を特定するフローを図２２に示す。
【０１１９】
図２２において、まず、原稿トレイ２０上に原稿が載置された状態で各ＲＦＩＤリーダが原稿のＲＦＩＤタグからデータ情報を読み取る（ステップＳ２２０１）。次に、各ＲＦＩＤリーダにより読み取った各データ情報がＲＡＭ８０２内の各ＲＦＩＤリーダに対応する原稿載置時用データ領域にそれぞれ格納される（ステップＳ２２０２）。
【０１２０】
次に、原稿の搬送が開始される（ステップＳ２２０３）。その後、再度各ＲＦＩＤリーダにより原稿のＲＦＩＤタグから読み取ったデータ情報がＲＡＭ８０２内の各ＲＦＩＤリーダに対応する原稿搬送時用データ領域にそれぞれ格納される（ステップＳ２２０４）。つづいて、原稿載置時用データ領域に格納されたデータ情報と原稿搬送時用データ領域に格納されたデータ情報とを比較する（ステップＳ２２０５）。
【０１２１】
次に、原稿載置時用データ領域に格納されたデータ情報であって原稿搬送時用データ領域に格納されていないデータ情報が搬送中の原稿のデータ情報として特定される（ステップＳ２２０６）。特定された原稿の原稿特性に関するデータ情報に基づき、レジストローラでの斜行補正の回数や読み取り位置までの搬送速度の変更などが実施される。これにより、最適な原稿搬送制御及び原稿読取制御を実現することが可能となる。
【０１２２】
上記実施の形態によれば、ＲＦＩＤタグ付き原稿の画像読取（又は原稿搬送）を行う場合、どんな位置にＲＦＩＤタグが埋め込まれた原稿であっても搬送中の原稿のデータ情報を的確に識別することができる。そして、当該読み取ったデータ情報に基づいて搬送中の原稿の搬送制御や画像読取制御を適正に行うことができる。
【０１２３】
上記実施の形態では、ＲＦＩＤリーダは、ＡＤＦ１００内の制御部に接続されているが、リーダ部２００内の制御部に接続されていてもよい。また、ＣＰＵ８００やＲＡＭ８０２、ＲＯＭ８０１等がＡＤＦ１００内だけではなく、リーダ部２００内に配置されていてもよい。
【０１２４】
また、本発明の目的は、上述した各実施形態の機能を実現するソフトウェアのプログラムコードを記憶した記憶媒体を、システム或いは装置に供給することによっても達成される。その場合、そのシステム或いは装置のコンピュータ（またはＣＰＵやＭＰＵ等）が記憶媒体に格納されたプログラムコードを読み出して実行する。該記憶媒体から読み出されたプログラムコード自体が上述した各実施形態の機能を実現することになり、そのプログラムコード及び該プログラムコードを記憶した記憶媒体は本発明を構成することになる。
【０１２５】
また、プログラムコードを供給するための記憶媒体としては、例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【０１２６】
コンピュータが読み出したプログラムコードを実行することにより、上述した各実施形態の機能が実現されるだけではない。すなわち、プログラムコードの指示に基づき、コンピュータ上で稼動しているＯＳ（オペレーティングシステム）等が実際の処理の一部又は全部を行い、その処理によって上述した各実施形態の機能が実現される場合も含まれる。
【０１２７】
更に、記憶媒体から読み出されたプログラムコードが、コンピュータに挿入された機能拡張ボードやコンピュータに接続された機能拡張ユニットに備わるメモリに書き込まれる。そして、そのプログラムコードの指示に基づき、その機能拡張ボードや機能拡張ユニットに備わるＣＰＵ等が実際の処理の一部または全部を行い、その処理によって上述した各実施形態の機能が実現される場合も含まれる。
【図面の簡単な説明】
【０１２８】
【図１】本発明の第１の実施形態に係る画像読取装置の概略構成を示す縦断面図である。
【図２】図１におけるＡＤＦの制御部の概略構成を示すブロック図である。
【図３】ＡＤＦを利用した画像読取処理の流れを示すフローチャートである。
【図４】図３の処理における分離動作処理の詳細を示すフローチャートである。
【図５】図３の処理における給紙動作処理の詳細を示すフローチャートである。
【図６】図３の処理における読取動作処理の詳細を示すフローチャートである。
【図７】図３の処理における排紙動作処理の詳細を示すフローチャートである。
【図８】図３の処理における反転動作処理の詳細を示すフローチャート（その１）である。
【図９】図３の処理における反転動作処理の詳細を示すフローチャート（その２）である。
【図１０】ＲＦＩＤタグ付き原稿の一例を示す図である。
【図１１】原稿トレイを真上から見たＲＦＩＤリーダの配置例と可読範囲の一例を示す図である。
【図１２】（ａ）は原稿トレイに原稿束が載置された状態でＲＦＩＤリーダがＲＦＩＤタグからデータ情報を読み取るときの状況を示す図である。（ｂ）は原稿の搬送開始後にＲＦＩＤリーダがＲＦＩＤタグからデータ情報を読み取れなくなったときの状況を示す図である。
【図１３】ＲＦＩＤリーダにより読み取られたデータ情報の構成例を示す図であり、（ａ）は原稿１、（ｂ）は原稿２を示す。
【図１４】ＲＦＩＤリーダにより読み取られたデータ情報を保持するためＲＡＭに確保された当該データ情報の記憶領域を示す図である。
【図１５】本発明の第２の実施形態に係る画像読取装置の概略構成を示す縦断面図である。
【図１６】ＲＦＩＤタグ付き原稿の他の一例を示す図である。
【図１７】原稿トレイを真上から見た複数のＲＦＩＤリーダの配置例と可読範囲の一例を示す図である。
【図１８】ＲＦＩＤリーダの配置間隔ｌｄと原稿搬送距離Ｌと半径Ｒとの関係を示す図であり、（ａ）はＲ＞Ｌの場合、（ｂ）はＲ＜Ｌの場合である。
【図１９】（ａ）は原稿トレイに原稿束が載置された状態でＲＦＩＤリーダがＲＦＩＤタグからデータ情報を読み取るときの状況を示す図であり、（ｂ）は原稿搬送開始後のデータ情報の読み取り状況を示す図である。
【図２０】本発明の第２の実施形態におけるＲＦＩＤリーダにより読み取られた複数のデータ情報を保持するためＲＡＭに確保された当該複数のデータ情報の記憶領域を示す図である。
【図２１】本発明の第１の実施形態における各原稿のＲＦＩＤタグからデータ情報を読み取ることによって搬送中の原稿を特定する処理を示すフローチャートである。
【図２２】本発明の第２の実施形態における各原稿のＲＦＩＤタグからデータ情報を読み取ることによって搬送中の原稿を特定する処理を示すフローチャートである。
【符号の説明】
【０１２９】
３  第１レジストローラ
５  第１搬送ローラ
２０  原稿トレイ
３０，３１  ＲＦＩＤリーダ
３２，３３  可読範囲
９０，９１  ＲＦＩＤタグ
１００  ＡＤＦ
２００  リーダ部
８００  ＣＰＵ
８０１  ＲＯＭ
８０２  ＲＡＭ
【図１】
2008060894.tif 000003
【図２】
2008060894.tif 000004
【図３】
2008060894.tif 000005
【図４】
2008060894.tif 000006
【図５】
2008060894.tif 000007
【図６】
2008060894.tif 000008
【図７】
2008060894.tif 000009
【図８】
2008060894.tif 000010
【図９】
2008060894.tif 000011
【図１０】
2008060894.tif 000012
【図１１】
2008060894.tif 000013
【図１２】
2008060894.tif 000014
【図１３】
2008060894.tif 000015
【図１４】
2008060894.tif 000016
【図１５】
2008060894.tif 000017
【図１６】
2008060894.tif 000018
【図１７】
2008060894.tif 000019
【図１８】
2008060894.tif 000020
【図１９】
2008060894.tif 000021
【図２０】
2008060894.tif 000022
【図２１】
2008060894.tif 000023
【図２２】
2008060894.tif 000024